(57)【特許請求の範囲】
【請求項１】
入力映像信号に対応した画像の表示パネル（２６）での表示位置を設定時間経過毎に移動する第１ステップと、第１ステップによる画像移動で生じたブランキング部分を画像表示領域に含むために設定された拡大率で、第１ステップで移動した表示位置における前記画像の中心を基準として、該画像の表示サイズを拡大する第２ステップと、第２ステップで拡大された画像を表示する第３ステップとを具備したことを特徴とする画像表示方法。
【請求項２】
入力映像信号に対応した画像の表示パネル（２６）での表示位置を入力映像信号の切り換え時毎に移動する第１ステップと、第１ステップによる画像移動で生じたブランキング部分を画像表示領域に含むために設定された拡大率で、第１ステップで移動した表示位置における前記画像の中心を基準として、該画像の表示サイズを拡大する第２ステップと、第２ステップで拡大された画像を表示する第３ステップとを具備したことを特徴とする画像表示方法。
【請求項３】
入力映像信号に対応した画像の表示パネル（２６）での表示位置を設定時間経過毎及び入力映像信号の切り換え時毎に移動する第１ステップと、第１ステップによる画像移動で生じたブランキング部分を画像表示領域に含むために設定された拡大率で、第１ステップで移動した表示位置における前記画像の中心を基準として、該画像の表示サイズを拡大する第２ステップと、第２ステップで拡大された画像を表示する第３ステップとを具備したことを特徴とする画像表示方法。
【請求項４】
映像信号を記録するためのメモリ（２４）と、映像信号に対応した画像を表示するための表示パネル（２６）と、入力映像信号のメモリ（２４）への書き込み、読み出しを制御する読み書き制御手段と、メモリ（２４）から読み出された映像信号に対応する画像の表示パネル（２６）での表示位置を設定時間経過毎に移動する表示位置制御手段と、前記表示位置制御手段による画像移動で生じたブランキング部分を画像表示領域に含むために設定された拡大率で、前記表示位置制御手段で移動した表示位置における前記画像の中心を基準として、該画像の表示サイズを拡大する表示サイズ制御手段とを具備したことを特徴とする画像表示装置。
【請求項５】
映像信号を記録するためのメモリ（２４）と、映像信号に対応した画像を表示するための表示パネル（２６）と、入力映像信号のメモリ（２４）への書き込み、読み出しを制御する読み書き制御手段と、メモリ（２４）から読み出された映像信号に対応する画像の表示パネル（２６）での表示位置を入力映像信号の切り換え時毎に移動する表示位置制御手段と、前記表示位置制御手段による画像移動で生じたブランキング部分を画像表示領域に含むために設定された拡大率で、前記表示位置制御手段で移動した表示位置における前記画像の中心を基準として、該画像の表示サイズを拡大する表示サイズ制御手段とを具備したことを特徴とする画像表示装置。
【請求項６】
映像信号を記録するためのメモリ（２４）と、映像信号に対応した画像を表示するための表示パネル（２６）と、入力映像信号のメモリ（２４）への書き込み、読み出しを制御する読み書き制御手段と、メモリ（２４）から読み出された映像信号に対応する画像の表示パネル（２６）での表示位置を設定時間経過毎及び入力映像信号の切り換え時毎に移動する表示位置制御手段と、前記表示位置制御手段による画像移動で生じたブランキング部分を画像表示領域に含むために設定された拡大率で、前記表示位置制御手段で移動した表示位置における前記画像の中心を基準として、該画像の表示サイズを拡大する表示サイズ制御手段とを具備したことを特徴とする画像表示装置。
【請求項７】
表示位置制御手段は、設定された複数の画像表示位置を設定時間経過毎に所定順序で循環移動することを特徴とする請求項４記載の画像表示装置。
【請求項８】
表示位置制御手段は、設定された複数の画像表示位置を、入力映像信号の切り換え時毎に所定順序で循環移動することを特徴とする請求項５記載の画像表示装置。
【請求項９】
表示位置制御手段は、設定された複数の画像表示位置を、設定時間経過毎及び入力映像信号の切り換え時毎に所定順序で循環移動することを特徴とする請求項６記載の画像表示装置。
【請求項１０】
表示サイズ制御手段は、画像移動で生じる複数のブランキング部分のうちの最大のブランキング部分を画像表示領域に含むために設定された共通の拡大率Ｍで、表示位置制御手段による複数の移動画像のそれぞれの表示サイズを拡大することを特徴とする請求項７，８又は９記載の画像表示装置。
【発明の詳細な説明】
【０００１】
【発明の属する技術分野】
本発明は、ＰＤＰ（プラズマディスプレイパネル）やＬＣＤ（液晶ディスプレイ）パネルなどの表示パネルで入力映像信号に対応した画像を表示する画像表示方法及び画像表示装置に関するものである。
【０００２】
【従来の技術】
従来、この種の画像表示方法及び画像表示装置には、静止画のように表示画面の同一位置に同一画像を長時間表示し続けたときに発生する画面の焼き付きを防止するために、表示画像を表示画面内で移動させるものが知られている。
例えば、図５に示すように、ＰＤＰの表示画面（例えば８００×６００ドットの表示画面）１０内で所定表示サイズ（例えば６４０×４８０ドット）の表示画像（例えば静止画像）を長時間表示し続ける場合、この表示画像の表示位置を表示フレーム１２で示す位置から表示フレーム１４で示す位置へ移動することによって、焼き付きを防止していた。
【０００３】
【発明が解決しようとする課題】
しかしながら、図５に示した従来例では、表示画像の表示位置を表示フレーム１２で示す位置から表示フレーム１４で示す位置へ移動する際に、表示サイズを変えていなかったので、移動によって表示画面１０内にブランキング（非表示）部分１６，１８が生じ、このブランキング部分１６，１８に焼き付きや残像が発生するという問題点があった。
すなわち、表示画像の移動によって表示フレーム１４内の明るい部分とブランキング部分１６，１８の暗い部分の間に大きな輝度差が生じ、焼き付きや残像発生の原因になっていた。
【０００４】
本発明は、上述の問題点に鑑みてなされたもので、表示画像の移動で生じるブランキング部分が焼き付きや残像発生の原因となるのを防止することができる画像表示方法及び画像表示装置を提供することを目的とするものである。
【０００５】
【課題を解決するための手段】
請求項１に記載の画像表示方法は、入力映像信号に対応した画像の表示パネル（２６）での表示位置を設定時間経過毎に移動する第１ステップと、第１ステップによる画像移動で生じたブランキング部分を画像表示領域に含むために設定された拡大率で、第１ステップで移動した画像の表示サイズを拡大する第２ステップとを具備したことを特徴とするものである。
上述の構成において、第１ステップによって、入力映像信号に対応した画像の表示パネル（２６）での表示位置が設定時間経過毎に移動し、第２ステップによって、移動画像の表示サイズが拡大して画像移動で生じたブランキング部分を画像表示領域に含めるので、表示画像の輝度差によって生じる焼き付き及び残像発生を防止することができる。
【０００６】
請求項２に記載の画像表示方法は、入力映像信号に対応した画像の表示パネル（２６）での表示位置を入力映像信号の切り換え時毎に移動する第１ステップと、第１ステップによる画像移動で生じたブランキング部分を画像表示領域に含むために設定された拡大率で、第１ステップで移動した画像の表示サイズを拡大する第２ステップとを具備したことを特徴とするものである。
上述の構成において、第１ステップによって、入力映像信号に対応した画像の表示パネル（２６）での表示位置を入力映像信号の切り換え時毎に移動し、第２ステップによって、移動画像の表示サイズを拡大して画像移動で生じたブランキング部分を画像表示領域に含めるので、表示画像の輝度差によって生じる焼き付き及び残像発生を防止することができるとともに、表示画像を見る者に違和感を与えない。
【０００７】
請求項３に記載の画像表示方法は、入力映像信号に対応した画像の表示パネル（２６）での表示位置を設定時間経過毎及び入力映像信号の切り換え時毎に移動する第１ステップと、第１ステップによる画像移動で生じたブランキング部分を画像表示領域に含むために設定された拡大率で、第１ステップで移動した画像の表示サイズを拡大する第２ステップとを具備したことを特徴とするものである。上述の構成において、第１ステップによって、入力映像信号に対応した画像の表示パネル（２６）での表示位置を設定時間経過毎及び入力映像信号の切り換え時毎に移動し、第２ステップによって、移動画像の表示サイズを拡大して画像移動で生じたブランキング部分を画像表示領域に含めるので、表示画像の輝度差によって生じる焼き付き及び残像発生を防止することができるとともに、表示画像を見る者に違和感を与えない。
【０００８】
請求項４に記載の画像表示装置は、映像信号を記録するためのメモリ（２４）と、映像信号に対応した画像を表示するための表示パネル（２６）と、入力映像信号、のメモリ（２４）への書き込み、読み出しを制御する読み書き制御手段と、メモリ（２４）から読み出された映像信号に対応する画像の表示パネル（２６）での表示位置を設定時間経過毎に移動する表示位置制御手段と、表示位置制御手段による画像移動で生じたブランキング部分を画像表示領域に含むために設定された拡大率で、表示位置制御手段で移動した画像の表示サイズを拡大する表示サイズ制御手段とを具備したことを特徴とするものである。
上述の構成において、表示位置制御手段が映像信号に対応した画像の表示パネル（２６）での表示位置を設定時間経過毎に移動し、表示サイズ制御手段が移動した画像の表示サイズを拡大して画像移動で生じたブランキング部分を画像表示領域に含めるので、表示画像の輝度差によって生じる焼き付き及び残像発生を防止することができる。
【０００９】
請求項５に記載の画像表示装置は、映像信号を記録するためのメモリ（２４）と、映像信号に対応した画像を表示するための表示パネル（２６）と、入力映像信号のメモリ（２４）への書き込み、読み出しを制御する読み書き制御手段と、メモリ（２４）から読み出された映像信号に対応する画像の表示パネル（２６）での表示位置を入力映像信号の切り換え時毎に移動する表示位置制御手段と、前記表示位置制御手段による画像移動で生じたブランキング部分を画像表示領域に含むために設定された拡大率で、前記表示位置制御手段で移動した画像の表示サイズを拡大する表示サイズ制御手段とを具備したことを特徴とするものである。上述の構成において、表示位置制御手段が映像信号に対応した画像の表示パネル（２６）での表示位置を入力映像信号の切り換え時毎に移動し、表示サイズ制御手段が移動した画像の表示サイズを拡大して画像移動で生じたブランキング部分を画像表示領域に含めるので、表示画像の輝度差によって生じる焼き付き及び残像発生を防止することができるとともに、表示画像を見る者に違和感を与えない。
【００１０】
請求項６に記載の画像表示装置は、映像信号を記録するためのメモリ（２４）と、映像信号に対応した画像を表示するための表示パネル（２６）と、入力映像信号のメモリ（２４）への書き込み、読み出しを制御する読み書き制御手段と、メモリ（２４）から読み出された映像信号に対応する画像の表示パネル（２６）での表示位置を設定時間経過毎及び入力映像信号の切り換え時毎に移動する表示位置制御手段と、前記表示位置制御手段による画像移動で生じたブランキング部分を画像表示領域に含むために設定された拡大率で、前記表示位置制御手段で移動した画像の表示サイズを拡大する表示サイズ制御手段とを具備したことを特徴とするものである。
上述の構成において、表示位置制御手段が映像信号に対応する画像の表示パネル（２６）での表示位置を設定時間経過毎及び入力映像信号の切り換え時毎に移動し、表示サイズ制御手段が移動した画像の表示サイズを拡大して画像移動で生じたブランキング部分を画像表示領域に含めるので、表示画像の輝度差によって生じる焼き付き及び残像発生を防止することができるとともに、表示画像を見る者に違和感を与えない。
【００１１】
請求項７に記載の発明は、請求項４に記載の発明において、表示位置制御手段の構成を簡単にするために、表示位置制御手段が、設定された複数の画像表示位置を設定時間経過毎に所定順序で循環移動する構成とする。
【００１２】
請求項８に記載の発明は、請求項５に記載の発明において、表示位置制御手段の構成を簡単にするために、表示位置制御手段が、設定された複数の画像表示位置を入力映像信号の切り換え時毎に所定順序で循環移動する構成とする。
【００１３】
請求項９に記載の発明は、請求項６に記載の発明において、表示位置制御手段の構成を簡単にするために、表示位置制御手段が、設定された複数の画像表示位置を設定時間経過毎及び入力映像信号の切り換え時毎に所定順序で循環移動する構成とする。
【００１４】
請求項１０に記載の発明は、請求項７，８又は９に記載の発明において、表示サイズ制御手段の構成を簡単にするために、表示サイズ制御手段が、画像移動で生じる複数のブランキング部分のうちの最大のブランキング部分を画像表示領域に含むために設定された共通の拡大率Ｍで、複数の移動画像の表示サイズを拡大する構成とする。
【００１５】
【発明の実施の形態】
図１は本発明による画像表示方法及び画像表示装置の一実施形態例を示すものである。
図１において、２０はＰＣ（パーソナルコンピュータ）、２２はＡ／Ｄ（アナログ／ディジタル）変換部、２４はメモリ、２６はＰＤＰ（表示パネルの一例）、２８はマイコン、３０は映像信号処理部である。
【００１６】
Ａ／Ｄ変換部２２はＰＣ２０から出力するアナログの映像信号をディジタルの映像信号に変換して出力する。マイコン２８は、内蔵するＲＯＭ（リードオンリメモ）内に格納されたプログラムに基づいて、読み書き制御、表示位置制御、表示サイズ制御などの制御を行うための制御信号を出力をする。
【００１７】
映像信号処理部３０は次の（ａ）（ｂ）（ｃ）に示す機能を具備している。
（ａ）  マイコン２８から読み書き制御信号に基づいて、Ａ／Ｄ変換部２２から出力した映像信号や処理後の映像信号をメモリ２４への書き込む制御と、メモリ２４から映像信号を読み出す制御とを行う読み書き制御機能。
（ｂ）  マイコン２８から出力する表示位置制御信号に基づいて、メモリ２４から読み出された映像信号に対応する画像の表示パネル（２６）での表示位置が、設定時間（例えば１時間）経過毎及び入力映像信号の切り換え時毎に、予め設定された４つの表示位置を所定順序で循環移動するように制御する表示位置制御機能。
（ｃ）  マイコン２８から出力する表示サイズ制御信号に基づいて、前記（ｂ）の機能による画像移動時に、画像移動で生じる４つのブランキング（非表示）部分のうちの最大のブランキング部分を画像表示領域に含むために設定された共通の拡大率Ｍ（例えば１．０５）で、前記（ｂ）の機能による４つの移動画像の表示サイズをそれぞれ拡大する表示サイズ制御機能。
【００１８】
つぎに前記実施形態例の作用を、図２〜図４を併用して説明する。
説明の便宜上、図３に示すように、ＰＤＰ２６の表示画面（８００×６００ドット）１０内において、表示サイズ６４０×４８０ドットの表示画像が、同図（ａ）の表示フレーム１２で示す基準点Ｐ０の表示位置から、同図（ｂ）（ｃ）（ｄ）（ｅ）のそれぞれに表示フレーム１４で示す点Ｐ１，Ｐ２，Ｐ３，Ｐ４の表示位置に順次移動し、点Ｐ４の表示位置のつぎは点Ｐ１の表示位置に戻り、以後点Ｐ１，Ｐ２，Ｐ３，Ｐ４の順に順次循環移動するものとする。ここで、点Ｐ０，Ｐ１，Ｐ２，Ｐ３，Ｐ４は、制御パラメータＰが０，１，２，３，４の場合に対応している。
また、これらの画像移動時において、それぞれの移動画像の表示サイズが予め設定された共通の拡大率Ｍによって図３（ｂ）（ｃ）（ｄ）（ｅ）のそれぞれに表示フレーム３２で示す大きさに拡大されるものとする。
また、点Ｐ０、Ｐ１，Ｐ２，Ｐ３，Ｐ４のＡ，Ｂ座標点が，図３（ａ）に示すように（０，０）、（０，ｎ／４）、（ｎ／４，ｎ）、（ｎ，３ｎ／４）、（３ｎ／４，０）であるとし、ｎ＝１２（ドット）、Ｍ＝（４８０＋２４）／４８０＝１．０５とし、アスぺクト比（４：３）を変えずに拡大するものとする。
さらに、図示の便宜上、拡大表示を誇張して表示するものとする。
【００１９】
（１）  ＰＣ２０から出力したアナグロの映像信号は、Ａ／Ｄ変換部２２でディジタルの映像信号に変換されて映像信号処理部３０に入力する。
映像信号処理部３０は、その読み書き制御機能によって、入力した映像信号や処理後の映像信号のメモリ２４への書き込み制御と、メモリ２４からの読み出し制御とを行う。
【００２０】
（２）  マイコン２８は、初期状態では、表示位置を基準点Ｐ０とするための表示位置制御信号と、拡大率を１とするための表示サイズ制御信号とを映像信号処理部３０へ出力し、表示開始時から設定時間（例えば１時間）経過毎及び入力映像信号の切り換え毎に、表示位置を点Ｐ１，Ｐ２，Ｐ３，Ｐ４，Ｐ１，Ｐ２，・・・と順次循環移動するための表示位置制御信号と、拡大率を１．０５（Ｍ＝１．０５の場合）とするための表示サイズ制御信号とを映像信号処理部３０へ出力する。
【００２１】
（３）  映像信号処理部３０は、マイコン２８からの表示位置制御信号と表示サイズ制御信号とに基づいて、ＰＤＰ２６での表示画像を、図３の（ａ）に表示フレーム１２で示す初期の表示位置から同図（ｂ），（ｃ），（ｄ），（ｅ）に表示フレーム１４で示す表示位置に順次移動させるとともに、各移動画像の表示サイズを１．０５倍し、表示フレーム３２で示す表示位置に拡大表示する。
以下、前記（２）（３）の作用を図２を併用して詳述する。
【００２２】
（４）  表示開始から設定時間経過していないときや、入力映像信号の切り換えがない時には、「一定時間経過？」がＮＯ、「入力切換実行？」がＮＯとなり、「Ｐ＝０？」がＹＥＳとなり、（Ａ，Ｂ）＝（０，０）となる。
このため、取込映像の水平位置、垂直位置を「水平基準値＋０」、「垂直基準値＋０」に指定し、メモリ２４から読み出された映像信号に対応する画像を拡大率１で表示する。すなわち、ＰＤＰ２６の表示画面１０には、図３（ａ）に示すように、基準点Ｐ０を取込映像位置とする表示フレーム１２の表示位置に、拡大率１の表示画像が表示される。
【００２３】
（５）  表示開始から設定時間経過したとき、又は入力映像信号の切り換えがあったときには、「一定時間経過？」がＹＥＳ、又は「入力切換実行？」がＹＥＳとなり、「Ｐ＝４？」がＮＯ、「Ｐ＝１」、「Ｐ＝０？」がＮＯ、「Ｐ＝１？」がＹＥＳとなり、（Ａ，Ｂ）＝（０，ｎ／４）＝（０，３）となる。
このため、取込映像の水平位置、垂直位置を「水平基準値＋０」「垂直基準値＋３」に指定し、メモリ２４から読み出された映像信号に対応する画像を拡大率１．０５で表示する。すなわち、ＰＤＰ２６の表示画面には、図３（ｂ）に示すように、点Ｐ１を取込映像位置とする表示フレーム１４を１．０５倍した表示フレーム３２の表示位置に、拡大率１．０５倍の表示画像が表示される。このとき、表示画像の移動で生じたブランキング部分が、拡大表示画像の表示領域を示す表示フレーム３２内に含まれるので、焼き付き及び残像発生を防止できる。
【００２４】
（６）  図３（ｂ）の表示開始から設定時間経過したとき、又は入力映像信号の切り換えがあったときには、前記（５）と同様にして、「Ｐ＝２」、（Ａ，Ｂ）＝（ｎ／４，ｎ）＝（３，１２）となり、ＰＤＰ２６の表示画面には、図３（ｃ）に示すように、点Ｐ２を取込映像位置とする表示フレーム１４を１．０５倍した表示フレーム３２の表示位置に拡大率１．０５の拡大表示画像が表示される。このときも、表示画像の移動で生じたブランキング部分が表示フレーム３２内に含まれるので、焼き付き及び残像発生を防止できる。
【００２５】
（７）  図３（ｃ）の表示開始から設定時間経過したとき、又は入力映像信号の切り換えがあったときには、前記（５）と同様にして、「Ｐ＝３」、（Ａ，Ｂ）＝（ｎ，３ｎ／４）＝（１２，９）となり、ＰＤＰ２６の表示画面には、図３（ｄ）に示すように、点Ｐ３を取込映像位置とする表示フレーム１４を１．０５倍した表示フレーム３２の表示位置に拡大率１．０５の拡大表示画像が表示される。このときも、表示画像の移動で生じたブランキング部分が表示フレーム３２内に含まれるので、焼き付きを防止し、残像発生を防止できる。図３（ｄ）を拡大した図４で詳述すると、表示画像の移動で生じたブランキング部分１６，１８が拡大表示画像の表示領域を示す表示フレーム３２内に含まれるので、焼き付き及び残像発生を防止できる。
【００２６】
（８）  図３（ｄ）の表示開始から設定時間経過したとき、又は入力映像信号の切り換えがあったときには、前記（５）と同様にして、「Ｐ＝４」、（Ａ，Ｂ）＝（３ｎ／４，０）＝（９、０）となり、ＰＤＰ２６の表示画面には、図３（ｅ）に示すように、点Ｐ４を取込映像位置とする表示フレーム１４を１．０５倍した表示フレーム３２の表示位置に拡大率１．０５の拡大表示画像が表示される。
このときも、表示画像の移動で生じたブランキング部分が表示フレーム３２内に含まれるので、焼き付きを防止し、残像発生を防止できる。
【００２７】
（９）  図３（ｅ）の表示開始から設定時間経過したとき、又は入力映像信号の切り換えがあったときには、「Ｐ＝４？」がＹＥＳとなり、「Ｐ＝１」、「Ｐ＝０？」がＮＯ、「Ｐ＝１？」がＹＥＳとなり、（Ａ，Ｂ）＝（０，ｎ／４）＝（０，３）となる。このため、前記（５）と同様にＰＤＰ２６の表示画面には、図３（ｂ）に示すように、点Ｐ１を取込映像位置とする表示フレーム１４を１．０５倍した表示フレーム３２の表示位置に拡大率１．０５の拡大表示画像が表示される。
【００２８】
（１０）  以後、前記（６）、（７）、（８）、（９）と同様の作用が繰り返される。すなわち、表示開始時から設定時間経過毎及び入力映像信号の切り換え時毎に、取込映像位置を点Ｐ１，Ｐ２，Ｐ３，Ｐ４，Ｐ１，Ｐ２，・・・の順に順次循環移動するとともに、各移動画像が拡大率１．０５で拡大表示される。
【００２９】
前記実施形態例では、予め設定するｎ，Ｍが１２，１．０５の場合について説明したが、本発明はこれに限るものでなく、画像移動で生じたブランキング部分が拡大表示画像の表示領域に含まれるという条件を満たせば、ｎが１２以外、Ｍが１．０５以外の場合についても利用することができること勿論である。
例えばｎが１０、Ｍが約１．０４２（＝（４８０＋２０）／４８０）の場合についても利用することができる。ただ、ｎが小さく、Ｍが１に近い程、見る者に違和感を与える可能性を小さくできる。
【００３０】
前記実施形態例では、水平方向の拡大率を１．０５（＝（６４０＋３２）／６４０）とするとともに、垂直方向の拡大率を１．０５（＝（４８０＋２４）／４８０）として拡大表示画像のアスペクト比を変えない場合について説明したが、本発明はこれに限るものでなく、水平方向の拡大率と垂直方向の拡大率を異なるように設定した場合についても利用することができる。
例えば、ｎ＝１２とした場合でも、水平方向の拡大率を約１．０３８（＝（６４０＋２４）／６４０）、垂直方向の拡大率を１．０５（＝（４８０＋２４）／４８０）と設定した場合についても利用することができる。
【００３１】
前記実施形態例では、表示サイズ制御手段の構成を簡単にするために、画像移動で生じる複数のブランキング部分のうちの最大のブランキング部分（図３（ｃ）に示すＰ＝２の場合）を、拡大表示画像の表示領域に含むために設定された共通の拡大率Ｍ（例えばＭ＝１．０５）で、複数（図３に示す例では４つ）の移動画像の表示サイズを拡大する場合について説明したが、本発明はこれに限るものでなく、画像移動で生じる複数のブランキング部分のそれぞれを、対応する拡大表示画像の表示領域に含むために設定された個別の拡大率で、対応する移動画像の表示サイズを拡大する場合についても利用することができる。
【００３２】
前記実施形態例では、移動・拡大画像の表示位置が点Ｐ１，Ｐ２，Ｐ３，Ｐ４に対応した４カ所であって、これらの４カ所を所定順序で順次循環移動する場合について説明したが、本発明はこれに限るものでなく、移動・拡大画像の表示位置が４カ所以外の複数箇所であって所定順序で循環移動する場合、又は任意に設定される複数箇所を順次移動する場合についても利用することができる。
【００３３】
前記実施形態例では、設定された複数の画像表示位置を、設定時間経過毎及び入力映像信号の切り換え時毎に移動する場合について説明したが、本発明はこれに限るものでなく、設定時間経過毎に移動する場合、又は入力映像信号の切り換え時毎に移動する場合ついても利用することができる。
【００３４】
【発明の効果】
請求項１に記載の画像表示方法は、第１ステップによって入力映像信号に対応した画像の表示パネル（２６）での表示位置を設定時間経過毎に移動し、第２ステップによって移動画像の表示サイズを拡大して画像移動で生じたブランキング部分を画像表示領域に含める構成としたので、初期表示位置における表示フレーム内において表示画像の移動で生じるブランキング部分が焼き付きや残像発生の原因となるのを防止することができ、表示画像の輝度差によって生じる焼き付き及び残像発生を防止することができる。
【００３５】
請求項２に記載の画像表示方法は、第１ステップによって入力映像信号に対応した画像の表示パネル（２６）での表示位置を入力映像信号の切り換え時毎に移動し、第２ステップによって移動画像の表示サイズを拡大して画像移動で生じたブランキング部分を画像表示領域に含める構成としたので、初期表示位置における表示フレーム内において表示画像の移動で生じるブランキング部分が焼き付きや残像発生の原因となるのを防止することができ、表示画像の輝度差によって生じる焼き付き及び残像発生を防止することができ、表示画像を見る者に違和感を与えない。
【００３６】
請求項３に記載の画像表示方法は、第１ステップによって入力映像信号に対応した画像の表示パネル（２６）での表示位置を設定時間経過毎及び入力映像信号の切り換え時毎に移動し、第２ステップによって移動画像の表示サイズを拡大して画像移動で生じたブランキング部分を画像表示領域に含める構成としたので、初期表示位置における表示フレーム内において表示画像の移動で生じるブランキング部分が焼き付きや残像発生の原因となるのを防止することができ、表示画像の輝度差によって生じる焼き付き及び残像発生を防止することができ、表示画像を見る者に違和感を与えない。
【００３７】
請求項４に記載の画像表示装置は、メモリ（２４）、表示パネル（２６）、読み書き制御手段、表示位置制御手段及び表示サイズ制御手段を具備し、表示パネル（２６）での入力映像信号に対応した画像の表示位置を設定時間経過毎に移動するとともに、この画像移動で生じたブランキング部分を画像表示領域に含むために設定された拡大率で、移動画像の表示サイズを拡大する構成としたので、初期表示位置における表示フレーム内において表示画像の移動で生じるブランキング部分が焼き付きや残像発生の原因となるのを防止することができ、表示画像の輝度差によって生じる焼き付き及び残像発生を防止することができる。
【００３８】
請求項５に記載の画像表示装置は、メモリ（２４）、表示パネル（２６）、読み書き制御手段、表示位置制御手段及び表示サイズ制御手段を具備し、表示パネル（２６）での入力映像信号に対応した画像の表示位置を入力映像信号の切り換え時毎に移動するとともに、この画像移動で生じたブランキング部分を画像表示領域に含むために設定された拡大率で、移動画像の表示サイズを拡大する構成としたので、初期表示位置における表示フレーム内において表示画像の移動で生じるブランキング部分が焼き付きや残像発生の原因となるのを防止することができ、表示画像の輝度差によって生じる焼き付き及び残像発生を防止することができ、表示画像を見る者に違和感を与えない。
【００３９】
請求項６に記載の画像表示装置は、メモリ（２４）、表示パネル（２６）、読み書き制御手段、表示位置制御手段及び表示サイズ制御手段を具備し、表示パネル（２６）での表示画像の表示位置を設定時間経過毎及び入力映像信号の切り換え時毎に移動するとともに、この画像移動で生じたブランキング部分を画像表示領域に含むために設定された拡大率で、移動画像の表示サイズを拡大する構成としたので、初期表示位置における表示フレーム内において表示画像の移動で生じるブランキング部分が焼き付きや残像発生の原因となるのを防止することができ、表示画像の輝度差によって生じる焼き付き及び残像発生を防止することができ、表示画像を見る者に違和感を与えない。
【００４０】
請求項７に記載の発明は、請求項４の発明において、設定された複数の画像表示位置を設定時間経過毎に所定順序で循環移動する構成としたので、表示位置制御手段の構成を簡単にすることができる。
【００４１】
請求項８に記載の発明は、請求項５に記載の発明において、設定された複数の画像表示位置を入力映像信号の切り換え時毎に所定順序で循環移動する構成としたので、表示位置制御手段の構成を簡単にすることができる。
【００４２】
請求項９に記載の発明は、請求項６に記載の発明において、設定された複数の画像表示位置を設定時間経過毎及び入力映像信号の切り換え時毎に所定順序で循環移動する構成としたので、表示位置制御手段の構成を簡単にすることができる。
【００４３】
請求項１０に記載の発明は、請求項７，８又は９に記載の発明において、画像移動で生じた複数のブランキング部分のうちの最大のブランキング部分を画像表示領域に含むために設定された共通の拡大率Ｍで、複数の移動画像の表示サイズをそれぞれ拡大する構成としたので、表示サイズ制御手段の構成を簡単にすることができる。
【図面の簡単な説明】
【図１】本発明による画像表示方法及び画像表示装置の一実施形態例を示すブロック図である。
【図２】図１の実施形態例による焼き付き及び残像発生の防止の作用を示すフローチャートである。
【図３】図１の実施形態例による焼き付き防止及び残像の発生防止の作用を説明する図である。
【図４】図３中の（ｄ）の拡大図である。
【図５】従来例による焼き付き防止の作用を説明する図である。
【符号の説明】
１０…表示画面、  １２…移動前の画像表示位置を示す表示フレーム、  １４…移動後の画像表示位置を示す表示フレーム、  １６、１８…ブランキング部分、  ２０…ＰＣ（パーソナルコンピュータ）、  ２２…Ａ／Ｄ変換部、  ２４…メモリ、  ２６…ＰＤＰ、  ２８…マイコン、  ３０…映像信号処理部、  ３２…拡大後の画像表示位置を示す表示フレーム。
【図１】
0003765279.tif 000002
【図２】
0003765279.tif 000003
【図３】
0003765279.tif 000004
【図４】
0003765279.tif 000005
【図５】
0003765279.tif 000006